(57)【要約】【課題】球面収差の補正を行うための機構部分の更なる小型化を図ることができ、省スペース化かつ自由度の高い部品配置が可能な光ピックアップ装置を提供すること。【解決手段】ＬＤ２１からの光を光ディスクの信号記録層に集光させるための対物レンズ２２と、ＬＤ２１から対物レンズ２２までの光路上に配設され、ＬＤ２１からの光の光束径を可変とするレンズ体２８と、ＬＤ２１からレンズ体２８までの光路上に配設され、該光路を少なくとも２回以上屈折させる折り返しプリズム２６と、折り返しプリズム２６を、ＬＤ２１とレンズ体２８とに対して光路軸ずれを生じさせない方向に移動させるプリズム駆動部２７とを備え、折り返しプリズム２６の移動量に対して、ＬＤ２１からレンズ体２８までの光路長の変化量の方が大きくなるように、折り返しプリズム２６における光路の屈折角度、及びレンズ体２７とＬＤ２１との配設位置が設定されている。【選択図】  図３
2007280585.tif 000002
【特許請求の範囲】
【請求項１】
光源からの光を光ディスクの信号記録層に集光させるための対物レンズと、
前記光源から前記対物レンズまでの光路上に配設され、前記光源からの光の光束径を可
変とするレンズ体と、                                                            
前記光源から前記レンズ体までの光路上に配設され、該光路を少なくとも２回以上屈折
させる光路屈折手段と、                                                          
該光路屈折手段を、前記光源と前記レンズ体とに対して光路軸ずれを生じさせない方向
に移動させる駆動手段とを備え、
前記光路屈折手段の移動量に対して、前記光源から前記レンズ体までの光路長の変化量
の方が大きくなるように、前記光路屈折手段における光路の屈折角度、及び前記レンズ体
と前記光源との配設位置が設定されていることを特徴とする光ピックアップ装置。
【請求項２】
請求項１記載の光ピックアップ装置と、
前記駆動手段の駆動制御を行う制御手段とを含んで構成されていることを特徴とする光
ディスク装置。
【請求項３】
光源から対物レンズを介して至る光ディスクまでの光路を２回以上屈折させる光路屈折
手段を移動させることにより、前記光路屈折手段と前記対物レンズとの光路間に配設され
たレンズ体と前記光源との間の光路長を変化させ、該変化によりレンズ体から出射される
光の光束径を変化させて、前記光ディスクのカバー層の厚さ基準値からのずれによって生
じる球面収差を補正することを特徴とする球面収差補正方法。
【発明の詳細な説明】
【技術分野】
【０００１】
本発明は光ピックアップ装置、光ディスク装置、及び球面収差補正方法に関し、より詳
細には、例えば、光ディスクの信号記録層が複数ある場合、又は光ディスクの表面から信
号記録層までのカバー層の厚さ誤差等により、カバー層の厚さが基準値からずれた場合に
より生じる球面収差の補正が可能な光ピックアップ装置、該光ピックアップ装置が搭載さ
れた光ディスク装置、及び球面収差補正方法に関する。
【背景技術】
【０００２】
近年、映像データ、音声データ、又はコンピュータデータなどのデータを記録する媒体
として光ディスクが広く利用されており、光ディスクに対する高記録密度化及び大容量化
の要求がますます高まってきている。
【０００３】
光ディスクには、信号記録層上に光を透過させる保護用のカバー層が形成されており、
このカバー層を透過して信号記録層に光が照射されることにより、データの記録や再生が
行われる。光源からの光を信号記録層に集光させる対物レンズは、通常、カバー層の厚さ
が基準値（光ディスクの規格値の標準値）のときに、信号記録層上で球面収差が最小とな
るように設計されている。このため、光ディスクの片面に複数の信号記録層が形成されて
いる場合、又はカバー層の厚さに製造上のばらつき等がある場合など、カバー層の厚さが
基準値からずれた場合に球面収差が発生する。
【０００４】
従来より、このような光ディスクのカバー層の厚さ基準値からのずれによって生じる球
面収差を補正する技術が提案されている。例えば、下記の特許文献１では、コリメートレ
ンズと対物レンズとの光路上に、球面収差補正用のレンズ群を設け、該レンズ群のうちの
一つのレンズをモータ等を含む駆動機構により光軸に沿って移動させて、コリメートレン
ズから出射された平行光を収束光又は拡散光に変えて対物レンズに入射させることにより
、例えば、カバー層の厚さが基準値より薄い場合、対物レンズに収束光を入射させるよう
にレンズ群の可動レンズを移動させることにより、カバー層の厚さ基準値からのずれ等に
起因する球面収差を、対物レンズで発生する球面収差で相殺する技術が開示されている。
【０００５】
しかしながら、特許文献１記載の技術では、球面収差補正用のレンズ群を光軸上で移動
させるため、レンズ群を光軸上に直線的に配置した上で、その動作範囲を確保しなければ
ならず、光学ピックアップ装置の更なる小型化を図る際の障害となっていた。
【特許文献１】特開２００３−４５０６８号公報
【発明の開示】
【課題を解決するための手段及びその効果】
【０００６】
本発明は上記課題に鑑みなされたものであって、球面収差の補正を行うための機構部分
の更なる小型化を図ることができ、省スペース化かつ自由度の高い部品配置が可能な光ピ
ックアップ装置、該光ピックアップ装置が搭載された光ディスク装置、及び球面収差補正
方法を提供することを目的としている。
【０００７】
上記目的を達成するために本発明に係る光ピックアップ装置（１）は、光源からの光を
光ディスクの信号記録層に集光させるための対物レンズと、前記光源から前記対物レンズ
までの光路上に配設され、前記光源からの光の光束径を可変とするレンズ体と、前記光源
から前記レンズ体までの光路上に配設され、該光路を少なくとも２回以上屈折させる光路
屈折手段と、該光路屈折手段を、前記光源と前記レンズ体とに対して光路軸ずれを生じさ
せない方向に移動させる駆動手段とを備え、前記光路屈折手段の移動量に対して、前記光
源から前記レンズ体までの光路長の変化量の方が大きくなるように、前記光路屈折手段に
おける光路の屈折角度、及び前記レンズ体と前記光源との配設位置が設定されていること
を特徴としている。
【０００８】
上記光ピックアップ装置（１）によれば、前記光路屈折手段を、前記光源と前記レンズ
体とに対して光路軸ずれを生じさせない方向に移動させることにより、前記光路屈折手段
の移動量に対して、前記光源から前記レンズ体までの光路長の変化量（すなわち、前記光
路屈折手段による折り返し光路の変化量）の方を大きくすることができ、前記光路屈折手
段のわずかな移動で、前記光路長を大きく変化させることができる。
【０００９】
したがって、従来のように球面収差補正用のレンズを光路軸上で直線的に移動させるよ
りも、少ない移動量で球面収差の補正を行うことが可能となり、装置の小型化を図ること
ができる。また、前記光源と前記レンズ体との配設位置に応じて、前記光路屈折手段での
光路の屈折角度を任意に設定することができ、省スペース化かつ自由度の高い部品配置を
行うことができ、更なる小型化を図ることができる。
【００１０】
また本発明に係る光ディスク装置（１）は、上記光ピックアップ装置（１）と、前記駆
動手段の制御を行う駆動制御手段とを含んで構成されていることを特徴としている。
上記光ディスク装置（１）によれば、上記光ピックアップ装置（１）が搭載されること
により、球面収差の補正機能が搭載された小型の光ディスク装置を実現することができる
。
【００１１】
また本発明に係る光ディスクの球面収差補正方法（１）は、光源から対物レンズを介し
て至る光ディスクまでの光路を２回以上屈折させる光路屈折手段を移動させることにより
、前記光路屈折手段と前記対物レンズとの光路間に配設されたレンズ体と前記光源との間
の光路長を変化させ、該変化によりレンズ体から出射される光の光束径を変化させて、前
記光ディスクのカバー層の厚さ基準値からのずれによって生じる球面収差を補正すること
を特徴としている。
【００１２】
上記光ディスクの球面収差補正方法（１）によれば、前記光路屈折手段を移動させるこ
とにより、前記光源から前記レンズ体までの光路長を、前記光路屈折手段の移動量よりも
大きく変化させることができ、前記光路屈折手段のわずかな移動で、前記光路長を大きく
変化させることができる。したがって、従来のように球面収差補正用のレンズを光路軸上
で直線的に移動させるよりも、少ない移動量で球面収差の補正を行うことができる。
【発明を実施するための最良の形態】
【００１３】
以下、本発明に係る光ピックアップ装置、光ディスク装置、及び球面収差補正方法の実
施の形態を図面に基づいて説明する。
図１は、実施の形態（１）に係る光ピックアップ装置が搭載された車載用光ディスク装
置の要部を概略的に示したブロック図である。図２は、車載用光ディスク装置の内部を模
式的に示した平面図である。
【００１４】
車載用光ディスク装置１は、光ピックアップ装置２、スピンドルモータ３、スレッドモ
ータ４、スライド送り機構５、信号生成回路６、及びマイコン７等を含んで構成されてお
り、これら構成部品が、有底角筒形状をした筐体１０内に収納されて、１ＤＩＮサイズの
車載用装置として構成されている。
【００１５】
車載用光ディスク装置１では、マイコン７からの駆動信号に基づき、スレッドモータ４
を駆動させ、スレッドモータ４の回転軸（送りネジ４ａ）に連結されたスライド送り機構
５を作動させることにより、光ピックアップ装置２をガイド軸５ａに沿ってスライド移動
、すなわち、スピンドルモータ３に直結されたターンテーブル８上にクランクされた光デ
ィスク９の半径方向に移動させることが可能となっている。
【００１６】
次に車載用光ディスク装置１に採用された光ピックアップ装置２の構成について説明す
る。図３は、図２に示した光ピックアップ装置２の拡大図であり、（ａ）は平面図、（ｂ
）は正面図を示している。
【００１７】
図中２０は、光ピックアップ装置を構成する各種部品が搭載される筐体を示しており、
横幅Ａ≒４９ｍｍ、縦幅Ｂ≒３０ｍｍ、厚さＣ≒７ｍｍ程度の小型かつ薄型構造となって
いる。なお、筐体２０の形状や大きさは、この形態に限定されるものではない。
【００１８】
光ピックアップ装置２は、光源としてのレーザダイオード（以下、ＬＤと記す）２１と
、ＬＤ２１から出射されたレーザ光を光ディスク９の信号記録層上に集光する対物レンズ
２２とを備えており、対物レンズ２２は、対物レンズ駆動部２３に搭載されている。対物
レンズ駆動部２３は、駆動コイル（図示せず）等を含んで構成され、該駆動コイルに駆動
電流を供給することにより、対物レンズ２２の光軸方向に平行なフォーカス方向、及び光
ディスク９の半径方向に平行なトラッキング方向に移動可能となっている。なお、光ピッ
クアップ装置２は、波長４０５ｎｍ付近の青紫色光を使用した基板厚０．１ｍｍの光ディ
スク（ブルーレイディスク）の再生・記録に対応した構成となっており、開孔率ＮＡの大
きな対物レンズ２２が使用されている。
【００１９】
また、光ピックアップ装置２は、ビームスプリッタ（以下、ＢＳと記す）２４、受光素
子（以下、ＰＤと記す）２５、光路屈折手段としての折り返しプリズム２６、折り返しプ
リズム２６を移動させるプリズム駆動部２７、レンズ体としてのコリメートレンズ２８、
及び反射ミラー２９等を含んで構成されている。
【００２０】
また、図１に示したように、光ピックアップ装置２には、ＬＤ２１を駆動させるＬＤ駆
動回路３０も搭載されており、ＬＤ駆動回路３０、及びプリズム駆動部２７は、マイコン
７からの制御信号に基づいて制御されるようになっている。
【００２１】
このように構成された光ピックアップ装置２において、ＬＤ２１から出射されたレーザ
光は、ＢＳ２４に入射し、ＢＳ２４を通過したレーザ光は、図示しない１／４波長板を通
過後、折り返しプリズム２６に入射する。折り返しプリズム２６に入射したレーザ光は、
プリズムで進行方向が１８０度（９０度を２回）曲げられた後、コリメートレンズ２８を
通過し、反射ミラー２９で反射されて、対物レンズ２２に入射する。対物レンズ２２に入
射したレーザ光は、光ディスク９の信号記録層に集光され、ビームスポットを形成する。
【００２２】
また、光ディスク９の信号記録層で反射されたレーザ光は、対物レンズ２２を通過した
後、反射ミラー２９で反射され、コリメートレンズ２８を通過し、折り返しプリズム２６
で進行方向が１８０度（９０度を２回）曲げられた後、１／４波長板（図示せず）を通過
して、ＢＳ２４に入射する。ＢＳ２４に入射したレーザ光は、反射され、進行方向を９０
度曲げられた後、ＰＤ２５によって集光され、ＰＤ２５から入射した光の強度に応じた出
力信号が信号生成回路６に出力されるようになっている。
【００２３】
信号生成回路６は、ＰＤ２５からの出力信号に基づいて、フォーカスエラー信号、トラ
ッキングエラー信号、ＲＦ信号などの信号を生成し、生成された信号をマイコン７に出力
し、マイコン７は、得られたフォーカスエラー信号に基づいて、光ディスク９の信号記録
層にレーザ光の焦点が合っていないことを検知すると、対物レンズ駆動部２３を駆動させ
て、対物レンズ２２をフォーカス方向に移動させて合焦させる。また、マイコン７は、合
焦されたときの対物レンズ２２のフォーカス方向の位置情報を、対物レンズ駆動部２３の
駆動電圧等に基づいて算出するようになっている。
【００２４】
また、マイコン７は、トラッキングエラー信号によって、レーザ光が光ディスク９のト
ラック上から外れていることを検知すると、対物レンズ駆動部２３を駆動させて、対物レ
ンズ２２を光ディスク９の主面に平行に移動させて、レーザ光が光ディスク９のトラック
上に照射されるように制御する。
【００２５】
また、マイコン７は、信号生成回路６によって生成されたＲＦ信号や対物レンズ２２の
位置情報等に基づいて、プリズム駆動部２７を制御して、折り返しプリズム２６を適切な
位置に移動させることにより、球面収差を補正する処理を行うようになっている。
【００２６】
次に光ピックアップ装置２のプリズム駆動部２７の構成について説明する。図４は、光
ピックアップ装置２のプリズム駆動部２７の拡大図であり、（ａ）は平面図、（ｂ）は正
面図を示している。
【００２７】
プリズム駆動部２７は、折り返しプリズム２６を保持するプリズムホルダ４１と、プリ
ズムホルダ４１をＬＤ２１とコリメートレンズ２８との光軸方向に移動可能に支持するガ
イド軸４２と、ウォーム軸（ネジ軸）４３が接続されたステッピングモータ４４と、ウォ
ーム軸４３に対して直角方向に係合された歯車部材４５とを含んで構成されている。歯車
部材４５は、ウォーム軸４３に係合されるウォーム歯車４５ａと、プリズムホルダ４１の
一側面に形成されたラック４１ａに係合されるピニオン４５ｂとが一体形成された構成と
なっている。
【００２８】
したがって、ステッピングモータ４４を駆動させると、ウォーム軸４３が回転し、ウォ
ーム軸４３に係合された歯車部材４５（ウォーム歯車４５ａ、及びピニオン４５ｂ）が横
回転し、歯車部材４５のピニオン４５ｂの回転がプリズムホルダ４１のラック４１ａに伝
達して、プリズムホルダ４１がガイド軸４２に沿って移動するようになっている。
【００２９】
なお、折り返しプリズム２６の移動精度を高めるために、ウォーム軸４３と歯車部材４
５とは、その減速比ができるだけ高くなるように（分解能を上げるように）構成され、ま
た、ガイド軸４２とプリズムホルダ４１とは、ガタツキが生じないように加工精度が高め
られている。
【００３０】
折り返しプリズム２６には、平面視略台形（底辺と両側辺とのなす角＝４５度）の角柱
形状をしたプリズムが使用されており、該台形の底辺側の側面が、ＬＤ２１からの光の入
射面、及びコリメートレンズ２８への光の出射面となっており、台形の底辺側の面が、Ｌ
Ｄ２１とコリメートレンズ２８との光軸に対して垂直となるように配設されている。
【００３１】
したがって、光ピックアップ装置２では、プリズム駆動部２７を駆動させてプリズムホ
ルダ４１（折り返しプリズム２６）をガイド軸４２に沿って移動させた場合、ＬＤ２１か
らの入射光とコリメートレンズ２８への出射光との光軸ずれを生じさせることなく、ＬＤ
２１からコリメートレンズ２８までの光路長を変化させることが可能となっている。
【００３２】
次に光ピックアップ装置２で行われる球面収差の補正方法について説明する。まず、光
ディスク９のカバー層の厚さが基準値からずれることにより発生する球面収差と、この球
面収差を補正するための対物レンズ２３の入射光との関係について、図５〜図７を参照し
て説明する。なお、光ディスク９の信号記録層が２層形成されているものとして説明する
。
【００３３】
まず、図５（ａ）に示すように、対物レンズ２２に平行光を入射させると、この平行光
がディスク表面９ａからカバー層９ｂを透過して、ディスク表面９ａに近い第１信号記録
層９ｃに集光するように対物レンズ２２を設計した場合、第１信号記録層９ｃに集光する
スポット光の球面収差は最小となる。
【００３４】
この対物レンズ２２を使用して、図５（ｂ）に示したように、第１信号記録層９ｃより
も深い位置にある第２信号記録層９ｅに平行光を集光させると、基準値よりも厚いカバー
層９ｂ及び９ｄを透過するので、球面収差が発生する。そこで、対物レンズ２２への入射
光を拡散光とすると、この球面収差をほぼ相殺するような球面収差が対物レンズ２２から
の出射光に生じ、第２信号記録層９ｅに集光するスポット光の球面収差を抑制（補正）す
ることが可能となっている。
【００３５】
次に、図６（ａ）に示すように、対物レンズ２２に平行光を入射させると、この平行光
がディスク表面９ａからカバー層９ｂ及び９ｄを透過して、第２信号記録層９ｅに集光す
るように対物レンズ２２を設計した場合、第２信号記録層９ｅに集光するスポット光の球
面収差は最小となる。
【００３６】
この対物レンズ２２を使用して、図６（ｂ）に示したように、第１信号記録層９ｃに平
行光を集光させると、平行光はカバー層９ｂのみを透過するため、球面収差が発生する。
そこで、対物レンズ２２への入射光を収束光とすると、この球面収差をほぼ相殺するよう
な球面収差が対物レンズ２２からの出射光に生じ、第１信号記録層９ｃに集光するスポッ
ト光の球面収差を抑制（補正）することができる。
【００３７】
さらに、図７（ａ）に示すように、対物レンズ２２に平行光を入射させると、この平行
光が第１信号記録層９ｃと第２信号記録層９ｅとに挟まれたカバー層の中間位置９ｆに集
光するように対物レンズ２２を設計した場合、その中間位置９ｆでスポット光の球面収差
は最小となる。
【００３８】
この対物レンズ２２を使用して、図７（ｂ）に示したように、第１信号記録層９ｃに集
光させる場合、平行光はカバー層９ｂのみを透過することになるので、第１信号記録層９
ｃで球面収差が発生する。そこで、対物レンズ２２に入射する光を収束光とすると、この
球面収差をほぼ相殺するような球面収差が対物レンズ２２からの出射光に生じ、第１信号
記録層９ｃに集光するスポット光の球面収差を抑制（補正）することができる。
【００３９】
また、図７（ｃ）に示したように、第２信号記録層９ｅに集光させる場合、入射光はカ
バー層９ｂ及び９ｄを透過することになるので、第２信号記録層９ｅで球面収差が発生す
る。このとき、対物レンズ２２に入射する光を拡散光にすると、この球面収差をほぼ相殺
するような球面収差が対物レンズ２２からの出射光に生じ、第２信号記録層９ｅに集光す
るスポット光の球面収差を抑制することができる。
【００４０】
このように対物レンズ２２への入射光を、基準値からのずれに応じて収束光又は拡散光
とすることにより球面収差を抑制（補正）することができる。また、光ディスク９のカバ
ー層９ｂ及び９ｄの厚さは、光ディスク９の製造時の膜厚の誤差により基準値からずれる
こともあるが、この場合も上記と同様にして球面収差を抑制することが可能である。
【００４１】
次に、光ピックアップ装置２の折り返しプリズム２６の移動により、コリメートレンズ
２８から対物レンズ２２への出射光を平行光、拡散光、及び収束光のいずれかに変換して
、球面収差の補正を行う場合の形態について、図８を参照して説明する。
【００４２】
まず、図８の中央図は、光ディスク９のカバー層の厚さが基準値である場合を示してい
る。この場合、ＬＤ２１から出射されたレーザ光が、折り返しプリズム２６内を２回屈折
して通過し、コリメートレンズ２８によって平行光となって出射し、反射ミラー２９を介
して対物レンズ２２に入射するようになっている。この場合、ＬＤ２１からコリメートレ
ンズ２８までの距離（光路長）が、コリメートレンズ２８から平行光が出射される距離に
設定されている。
【００４３】
左側（下）の図は、光ディスク９のカバー層の厚さが基準値よりも厚い場合の折り返し
プリズム２６の移動状態を示している。この場合、ＬＤ２１からコリメートレンズ２８ま
での光路長が、基準値の場合（中央図）よりも短くなるように折り返しプリズム２６を移
動させて、コリメートレンズ２８に入射されるレーザ光の拡散度合いを基準値の場合より
も抑えて、コリメートレンズ２８からの出射光を拡散光とするようになっている。
【００４４】
なお、この場合における折り返しプリズム２６の移動量をａとした場合、ＬＤ２１から
コリメートレンズ２８までの光路長の変化量は、その倍の２ａとなり、コリメートレンズ
２８を光軸上で移動させる場合と比較して、半分の移動量で、球面収差を補正するための
拡散光をコリメートレンズ２８から出射することが可能となっており、球面収差の補正を
行うための機構部分の動作範囲を小さくすることが可能になる。
【００４５】
また、右側（上）の図は、光ディスク９のカバー層の厚さが基準値よりも薄い場合の折
り返しプリズム２６の移動状態を示している。この場合、ＬＤ２１からコリメートレンズ
２８までの光路長が、基準値の場合（中央図）よりも長くなるように折り返しプリズム２
６を移動させて、コリメートレンズ２８に入射されるレーザ光の拡散度合いを基準値の場
合よりも高めて、コリメートレンズ２８からの出射光を収束光とするようになっている。
【００４６】
なお、この場合における折り返しプリズム２６の移動量をａ’とした場合、ＬＤ２１か
らコリメートレンズ２８までの光路長の変化量は、その倍の２ａ’となり、コリメートレ
ンズ２８を光軸上で移動させる場合と比較して、半分の移動量で、球面収差を補正するた
めの収束光をコリメートレンズ２８から出射させることが可能となっている。
【００４７】
次に実施の形態に係る車載用光ディスク装置１におけるマイコン７の行う球面収差補正
処理動作を図９に示したフロ−チャ−トに基づいて説明する。
【００４８】
まず、ステップＳ１では、信号生成回路６によって生成されたＲＦ信号や対物レンズ２
２の位置情報等に基づいて、球面収差の発生量を算出し、続くステップＳ２では、算出さ
れた球面収差の補正に必要な折り返しプリズム２６の移動量を算出する。
【００４９】
その後ステップＳ３では、算出された折り返しプリズム２６の移動量に基づいて、折り
返しプリズム２６を移動させる処理、すなわち、プリズム駆動部２７のステッピングモー
タ４４を駆動させてプリズムホルダ４１をガイド軸４２に沿って必要量移動させる。
【００５０】
ステップＳ４では、発生していた球面収差が打ち消されたか否か（すなわち、補正ＯＫ
か否か）を判断し、発生していた球面収差が打ち消されていないと判断すればステップＳ
１に戻り処理を繰り返す一方、球面収差が打ち消されたと判断すれば処理を終える。
【００５１】
上記実施の形態に係る光ピックアップ装置２では、折り返しプリズム２６を、ＬＤ２１
とコリメートレンズ２８とに対して光路軸ずれを生じさせない方向に移動させることによ
り、折り返しプリズム２６の移動量に対して、ＬＤ２１からコリメートレンズ２８までの
光路長の変化量（すなわち、折り返しプリズム２６による折り返し光路の変化量）の方を
大きくすることができ、折り返しプリズム２６のわずかな移動で、光路長を大きく変化さ
せることができる。
【００５２】
したがって、従来のように球面収差補正用のレンズを光路軸上で直線的に移動させるよ
りも、少ない移動量で球面収差の補正を行うことが可能となり、装置の小型化を図ること
ができる。また、ＬＤ２１とコリメートレンズ２８との配設位置に応じて、折り返しプリ
ズム２６での光路の屈折角度（この場合、９０度を２回）を任意に設定することができ、
省スペース化かつ自由度の高い部品配置を行うことができ、更なる小型化を図ることがで
きる。
【００５３】
なお上記実施の形態に係る光ピックアップ装置２では、折り返しプリズム２６内で、光
路が１８０度（９０度を２回）曲げられるようになっているが、折り返しプリズム２６内
の光路の屈折角度（すなわち、折り返しプリズムの形状）や、ＬＤ２１とコリメートレン
ズ２８との配設位置は、上記実施の形態に限定されるものではなく、例えば、図１０〜１
２に示したような別の実施の形態を採用することもできる。
【００５４】
まず、図１０に示した別の実施の形態（その１）では、折り返しプリズム（ペンタプリ
ズム）２６ａ内で、光路が９０度（４５度を２回）曲げられた場合の配置構成を示してお
り、この場合、折り返しプリズム２６ａは、折り返し角度９０度を２等分する４５度方向
（ＬＤ２１からの入射光の光軸とコリメートレンズ２８への出射光の光軸とのなす角の２
等分線上）に移動させるように構成されている。
【００５５】
係る構成によれば、折り返しプリズム２６ａの移動量ｂに対して、ＬＤ２１からコリメ
ートレンズ２８までの光路長を、２・ｃｏｓ４５°ｂほど変化させることができる。従来
のように光路上のレンズを移動させる場合と比較して、｛１／２・ｃｏｓ４５°｝×１０
０≒７０．７（％）の移動量で、球面収差の補正を行うことが可能となる。
【００５６】
また、図１１に示した別の実施の形態（その２）では、折り返しプリズム２６ｂ内で、
光路が６０度（６０度を２回）曲げられた場合の配置構成を示しており、この場合、折り
返しプリズム２６ｂは、折り返し角度６０度を２等分する３０度方向（ＬＤ２１からの入
射光の光軸とコリメートレンズ２８への出射光の光軸とのなす角の２等分線上）に移動さ
せるように構成されている。
【００５７】
係る構成によれば、折り返しプリズム２６ｂの移動量ｃに対して、ＬＤ２１からコリメ
ートレンズ２８までの光路長を、２・ｃｏｓ３０°ｃほど変化させることができる。従来
のように光路上のレンズを移動させる場合と比較して、１／２・ｃｏｓ３０°×１００≒
５７．７（％）の移動量で、球面収差の補正を行うことが可能となる。
【００５８】
また、図１２に示した別の実施の形態（その３）では、折り返しプリズム２６ｃ内で、
光路が４５度（６７．５度を２回）曲げられた場合の配置構成を示しており、この場合、
折り返しプリズム２６ｃは、折り返し角度４５度を２等分する２２．５度方向（ＬＤ２１
からの入射光の光軸とコリメートレンズ２８への出射光の光軸とのなす角の２等分線上）
に移動させるように構成されている。
【００５９】
係る構成によれば、折り返しプリズム２６ｃの移動量ｄに対して、ＬＤ２１からコリメ
ートレンズ２８までの光路長を、２・ｃｏｓ２２．５°ｄほど変化させることができる。
従来のように光路上のレンズを移動させる場合と比較して、１／２（１／２・ｃｏｓ２２
．５°）×１００≒５４．１（％）の移動量で、球面収差の補正を行うことが可能となる
。
【００６０】
すなわち、ＬＤ２１からの入射光の光軸とコリメートレンズ２８への出射光の光軸との
なす角が１８０度未満となるように、ＬＤ２１とコリメートレンズ２８との配設位置、及
び折り返しプリズムの屈折角度を設定すれば、同様の効果を得ることができる。
【００６１】
また、上記実施の形態に係る光ピックアップ装置２では、光路屈折手段としてプリズム
を使用した場合について説明したが、光路屈折手段は、ＬＤ２１からの入射光を適切に反
射させることができる部材であればよく、例えば、プリズムの代わりに、複数枚のミラー
で構成された部品を採用することもでき、その一例を、図１３に示している。
【００６２】
図１３に示した別の実施の形態（その４）では、２枚のミラー５１、５２と、これらミ
ラー５１、５２を保持するミラーホルダ５３とで光路屈折手段が構成されており、２枚の
ミラー５１、５２で、光路が９０度（４５度を２回）曲げられた場合の配置構成を示して
いる。この場合、ミラー５１、５２で構成された光路屈折手段は、折り返し角度９０度を
２等分する４５度方向に移動させるように構成され、図１０に示した別の実施の形態（そ
の１）と略同様な効果を得ることができる。また、プリズムを使用する場合よりも部品コ
ストを下げることができる。
【００６３】
また、上記実施の形態に係る光ピックアップ装置２では、青紫色光を発光するＬＤ２１
を搭載した場合について説明したが、別の実施の形態では、上記説明した青紫色光に対応
する光学系の他に、ＣＤやＤＶＤ用のレーザ光に対応する光学系を搭載した構成、すなわ
ち、複数媒体に対応させた構成とすることもでき、その一例を図１４に示している。
【００６４】
図１４に示したさらに別の実施の形態に係る光ピックアップ装置２Ａでは、図３に示し
た光ピックアップ装置２の筐体２０と略同サイズの筐体２０Ａに、上記説明したＬＤ２１
、ＢＳ２４、ＰＤ２５、折り返しプリズム２６、プリズム駆動部２７、コリメートレンズ
２８、反射ミラー２９に加えて、ＣＤやＤＶＤ用のレーザ光の発光及び受光を行う複合レ
ーザホログラムユニット３１、反射ミラー３２、コリメートレンズ３３が搭載され、さら
に対物レンズ駆動部２３Ａには、ブルーレイディスク用の対物レンズ２２とＣＤやＤＶＤ
用の対物レンズ２２Ａとが搭載された構成となっており、複数媒体に対応させた光ピック
アップ装置２Ａであってもコンパクトな構成とすることができる。
【図面の簡単な説明】
【００６５】
【図１】本発明の実施の形態に係る光ピックアップ装置が搭載された車載用光ディスク装置の要部を概略的に示したブロック図である。
【図２】車載用光ディスク装置の内部を模式的に示した図である。
【図３】光ピックアップ装置の拡大図であり、（ａ）は平面図、（ｂ）は正面図である。
【図４】光ピックアップ装置のプリズム駆動部の拡大図であり、（ａ）は平面図、（ｂ）は正面図である。
【図５】（ａ）、（ｂ）は、光ディスクのカバー層の厚さが基準値からずれることにより発生する球面収差と、この球面収差を補正するための対物レンズの入射光との関係を説明するための図である。
【図６】（ａ）、（ｂ）は、光ディスクのカバー層の厚さが基準値からずれることにより発生する球面収差と、この球面収差を補正するための対物レンズの入射光との関係を説明するための図である。
【図７】（ａ）〜（ｃ）は、光ディスクのカバー層の厚さが基準値からずれることにより発生する球面収差と、この球面収差を補正するための対物レンズの入射光との関係を説明するための図である。
【図８】実施の形態に係る光ピックアップ装置で行われる球面収差の補正方法を説明するための図である。
【図９】実施の形態に係る車載用光ディスク装置におけるマイコンの行う球面収差補正処理動作を示したフロ−チャ−トである。
【図１０】別の実施の形態（その１）に係る光ピックアップ装置の折り返しプリズム、ＬＤ、及びコリメートレンズの配置構成を説明するための図である。
【図１１】別の実施の形態（その２）に係る光ピックアップ装置の折り返しプリズム、ＬＤ、及びコリメートレンズの配置構成を説明するための図である。
【図１２】別の実施の形態（その３）に係る光ピックアップ装置の折り返しプリズム、ＬＤ、及びコリメートレンズの配置構成を説明するための図である。
【図１３】別の実施の形態（その４）に係る光ピックアップ装置の構成を説明するための図である。
【図１４】さらに別の実施の形態に係る光ピックアップ装置の要部を模式的に示した平面図である。
【符号の説明】
【００６６】
１  車載用光ディスク装置
２、２Ａ  光ピックアップ装置
７  マイコン
２１  ＬＤ（光源）
２２、２２Ａ  対物レンズ
２６、２６ａ、２６ｂ、２６ｃ  折り返しプリズム（光路屈折手段）
２７  プリズム駆動部（駆動手段）
２８  コリメートレンズ（レンズ体）
【図１】
2007280585.tif 000003
【図２】
2007280585.tif 000004
【図３】
2007280585.tif 000005
【図４】
2007280585.tif 000006
【図５】
2007280585.tif 000007
【図６】
2007280585.tif 000008
【図７】
2007280585.tif 000009
【図８】
2007280585.tif 000010
【図９】
2007280585.tif 000011
【図１０】
2007280585.tif 000012
【図１１】
2007280585.tif 000013
【図１２】
2007280585.tif 000014
【図１３】
2007280585.tif 000015
【図１４】
2007280585.tif 000016